(57)【要約】【課題】  視覚障害者にとって操作性がよいタッチパネル方式のボタンを備えたエレベータ装置を提供すること。【解決手段】  エレベータ装置は、かご１の乗場呼びを登録する乗場呼び登録手段２、および、エレベータかご１を制御するかご制御手段３を具備し、乗場呼び登録手段２は、下方向の乗場呼び、または、上方向の乗場呼びを入力するためのタッチパネルを備えたパネル部１０と、タッチパネルに加えられた力の大きさに基づいて、下方向の乗場呼び、または、上方向の乗場呼び登録する登録部１２とを具備している。【選択図】      図１
2012056720.tif 000002
【特許請求の範囲】
【請求項１】
複数の階床にエレベータ乗場を有する昇降路内を昇降するかごと、
前記エレベータ乗場に設置され、上方向の乗場呼びまたは下方向の乗場呼びを登録する乗場呼び登録手段と、
前記乗場呼び登録手段に登録された乗場呼びに基づいて、前記かごの運転を制御するかご制御手段とを具備してなり、
前記乗場呼び登録手段は、
前記上方向の乗場呼びまたは下方向の乗場呼びの入力を行うためのタッチパネルを備えたパネル部と、
前記タッチパネルに加えられた力の大きさに基づいて、前記上方向の乗場呼びまたは前記下方向の乗場呼びを登録する登録部とを具備していることを特徴するエレベータ装置。
【請求項２】
前記タッチパネルに加えられた力の大きさが予め定めた閾値よりも小さい場合、前記上方向の乗場呼びびおよび下方向の乗場呼びの一方が、前記登録部に登録され、
前記タッチパネルに加えられた力の大きさが前記閾値以上の場合、前記上方向の乗場呼びおよび前記下方向の乗場呼びの他方が、前記登録部に登録されることを特徴する請求項１に記載エレベータ装置。
【請求項３】
複数の階床にエレベータ乗場を有する昇降路内を昇降するかごと、
前記かご内に設置され、エレベータドアの開閉を指令する開閉指令手段と、
前記開閉指令手段からの指令に基づいて、前記エレベータドアの開閉を制御するドア制御手段とを具備してなり、
前記開閉指令手段は、
前記エレベータドアを開くためのドア開指令、または、前記エレベータドアを閉じるためのドア閉指令を入力するためのタッチパネルを備えたパネル部と、
前記タッチパネルに加えられた力の大きさに基づいて、前記ドア開指令または前記ドア閉指令を生成する生成部とを具備していることを特徴するエレベータ装置。
【請求項４】
前記タッチパネルに加えられた力の大きさが予め定めた閾値よりも小さい場合、前記ドア開指令および前記ドア閉指令の一方が、前記生成部で生成され、
前記タッチパネルに加えられた力の大きさが前記閾値以上の場合、前記ドア開指令および前記ドア閉指令の他方が、前記生成部で生成されることを特徴する請求項３に記載エレベータ装置。
【請求項５】
複数の階床にエレベータ乗場を有する昇降路内を昇降するかごと、
前記かご内に設置され、前記かごの行き先階を登録する行き先階登録手段と、
前記行き先階登録手段に登録された行き先階に基づいて、前記かごの運転を制御するかご制御手段とを具備してなり、
前記行き先階登録手段は、
前記かごの行き先階を入力するためのタッチパネルを備えたパネル部と、
前記タッチパネルに加えられた力の大きさに基づいて、前記かごの行き先階を登録する登録部とを具備していることを特徴するエレベータ装置。
【請求項６】
前記タッチパネルに加えられた力の大きさと、前記登録手段に登録される行き先階とは正の相関に設定されていることを特徴する請求項５に記載のエレベータ装置。
【請求項７】
前記タッチパネルに加えられた力の大きさに応じて前記タッチパネルを振動させる振動手段をさらに具備してなることを特徴津する請求項１ないし６のいずれか１項に記載のエレベータ装置。
【請求項８】
前記タッチパネルに加えられた力の大きさに応じて前記タッチパネルを振動させる振動手段をさらに具備し、
前記振動手段は、前記タッチパネルに前記上方向の乗場呼びが入力された場合と、前記タッチパネルに前記下方向の乗場呼びが入力された場合とで、前記タッチパネルを振動させる回数を変えることを特徴とする請求項１または２に記載のエレベータ装置。
【請求項９】
前記タッチパネルに加えられた力の大きさに応じて前記タッチパネルを振動させる振動手段をさらに具備し、
前記振動手段は、前記タッチパネルに前記ドア開指令が入力された場合と、前記タッチパネルに前記ドア閉指令が入力された場合とで、前記タッチパネルを振動させる回数を変えることを特徴とする請求項３または４に記載のエレベータ装置。
【請求項１０】
前記タッチパネルに加えられた力の大きさに応じて前記タッチパネルを振動させる振動手段をさらに具備し、
前記振動手段は、前記タッチパネルにて入力された行き先階毎に、前記タッチパネルを振動させる回数を変えることを特徴とする請求項５または６に記載のエレベータ装置。
【請求項１１】
前記タッチパネルにて入力された行き先階を音声でアナウンスするためのアナウンス手段をさらに具備してなることを特徴する請求項１０に記載のエレベータ装置。
【発明の詳細な説明】
【技術分野】
【０００１】
本発明の実施形態は、エレベータ乗場のボタンやかご内のボタンとしてタッチパネル方式のボタンを用いたエレベータ装置に関する。
【背景技術】
【０００２】
エレベータ乗場には、エレベータ利用者が操作して自分の行先階の方向を登録するためのボタンが設けられている。一方、乗りかご内には、行先階を登録するためのボタンや、ドアの開閉を操作するためのボタンが設けられている。
【０００３】
この種のボタンとしては、従来から機械的な押しボタンが知られている。機械的な押しボタン以外としては、タッチパネル方式のボタンが知られている。タッチパネル方式の場合、ボタンの表示方法やボタンの配置を自由に設定および変更することができるため、建物の仕様に合わせて柔軟に対応できるという利点がある。
【先行技術文献】
【特許文献】
【０００４】
【特許文献１】特開２０００−１５９４５６号公報
【発明の概要】
【発明が解決しようとする課題】
【０００５】
しかしながら、タッチパネル方式のボタンの場合でも、機械的な押しボタンの場合と同様に、視覚障害者にとっては操作性は悪い。例えば、行先階の方向を登録するためのボタンは、上方向の乗場呼びを登録するボタンと、下方向の乗場呼びを登録するボタンの二つがあり、視覚障害者がこれらの二つのボタンを識別してボタン操作を行うことは容易ではない。
【０００６】
したがって、視覚障害者にとって操作性がよいタッチパネル方式のボタンを備えたエレベータ装置が求められている。
【課題を解決するための手段】
【０００７】
実施形態のエレベータ装置は、複数の階床にエレベータ乗場を有する昇降路内を昇降するかごと、前記エレベータ乗場に設置され、上方向の乗場呼びまたは下方向の乗場呼びを登録する乗場呼び登録手段と、前記乗場呼び登録手段に登録された乗場呼びに基づいて、前記かごの運転を制御するかご制御手段とを具備してなり、前記乗場呼び登録手段は、前記上方向の乗場呼びまたは下方向の乗場呼びの入力を行うためのタッチパネルを備えたパネル部と、前記タッチパネルに加えられた力の大きさに基づいて、前記上方向の乗場呼びまたは前記下方向の乗場呼びを登録する登録部とを具備していることを特徴する。
【０００８】
実施形態のエレベータ装置は、複数の階床にエレベータ乗場を有する昇降路内を昇降するかごと、前記かご内に設置され、エレベータドアの開閉を指令する開閉指令手段と、前記開閉指令手段からの指令に基づいて、前記エレベータドアの開閉を制御するドア制御手段とを具備してなり、前記開閉指令手段は、前記エレベータドアを開くためのドア開指令、または、前記エレベータドアを閉じるためのドア閉指令を入力するためのタッチパネルを備えたパネル部と、前記タッチパネルに加えられた力の大きさに基づいて、前記ドア開指令または前記ドア閉指令を生成する生成部とを具備していることを特徴する。
【０００９】
実施形態のエレベータ装置は、複数の階床にエレベータ乗場を有する昇降路内を昇降するかごと、前記かご内に設置され、前記かごの行き先階を登録する行き先階登録手段と、前記行き先階登録手段に登録された行き先階に基づいて、前記かごの運転を制御するかご制御手段とを具備してなり、前記行き先階登録手段は、前記かごの行き先階を入力するためのタッチパネルを備えたパネル部と、前記タッチパネルに加えられた力の大きさに基づいて、前記かごの行き先階を登録する登録部とを具備していることを特徴する。
【図面の簡単な説明】
【００１０】
【図１】第１の実施形態に係るエレベータ装置を示す概略構成図である。
【図２】第１の実施形態に係るエレベータ装置の乗場呼び登録装置の構成を示す概略構成図である。
【図３】乗場壁面に設置された第１の実施形態のタッチパネルを示す図である。
【図４】第１の実施形態に係るエレベータ装置の動作を説明するためのフローチャート。
【図５】第２の実施形態に係るエレベータ装置を示す概略構成図である。
【図６】第２の実施形態に係るエレベータ装置の開閉指示装置の構成を示す概略構成図である。
【図７】エレベータかご内に設置された第２の実施形態のタッチパネルを示す図である。
【図８】第２の実施形態に係るエレベータ装置の動作を説明するためのフローチャート。
【図９】第３の実施形態に係るエレベータ装置を示す概略構成図である。
【図１０】第３の実施形態に係るエレベータ装置の行き先階登録装置の構成を示す概略構成図である。
【図１１】指圧と行き先階との関係を示す図である。
【図１２】エレベータかご内に設置された第３の実施形態のタッチパネルを示す図である。
【図１３】第３の実施形態に係るエレベータ装置の動作を説明するためのフローチャート。
【図１４】指圧と行き先階と振動回数との関係を示す図である。
【発明を実施するための形態】
【００１１】
以下、図面を参照しながら実施形態を説明する。
【００１２】
（第１の実施形態）
図１は、第１の実施形態に係るエレベータ装置を示す概略構成図である。
【００１３】
本実施形態のエレベータ装置は、複数の階床にエレベータ乗場を有する昇降路内を昇降する乗りかご１と、エレベータ乗場に設置され、上方向の乗場呼びまたは下方向の乗場呼びを登録するタッチパネル方式の乗場呼び登録装置２と、乗場呼び登録装置２に登録された乗場呼びに基づいて、乗りかご１の運転を制御するかご制御手段としての機能を含む、エレベータ制御装置３とを具備している。エレベータ制御装置３は、乗りかご１のみならず、その他のエレベータの制御も司る。
【００１４】
図２は、乗場呼び登録装置２の構成を示す概略構成図である。
【００１５】
乗場呼び登録装置２は、入力部１００と、入力部１００を制御する入力部制御装置２００とを具備している。
【００１６】
入力部１００は、乗りかご１に対して上方向の乗場呼びまたは下方向の乗場呼びを登録するための入力を行うためのタッチパネルを備えたパネル部１０と、パネル部１０の出力に基づいて、タッチパネルに加えられた力の大きさが予め定めた閾値よりも小さいか否かを判断する判断部１１と、判断部１１の判断に基づいて、タッチパネルに加えられた力の大きさが閾値よりも小さい場合には、下方向のかご呼を登録し、一方、タッチパネルに加えられた力の大きさが閾値以上の場合には、上方向のかご呼を登録する登録部１２と、登録部１２に下方向のかご呼が登録された時にはタッチパネルを２回振動させ、一方、登録部１２に上方向のかご呼が登録された時にはタッチパネルを１回振動させる振動装置１３とを備えている。振動回数は、２回と１回との組合せに限定されるものではない。
【００１７】
タッチパネルに加えられた力の大きさは、例えば、単位面積当たりにおける力の大きさ（圧力）で定義される。
【００１８】
タッチパネルは、例えば、入力の際に指で押される液晶パネルと、液晶パネルにて生じた圧力を検出するための圧力センサとで構成されている。圧力センサは、空気または液体の圧力を、電気信号に変換して出力するデバイスである。圧力センサのタイプとしては、歪みゲージ抵抗式、半導体ピエゾ抵抗式、静電容量式、シリコンレゾナント方式などがある。
【００１９】
なお、実施形態のパネル部１０の液晶パネルは、表示機能は必須ではない。本実施形態は、視覚障害者等を対象者としているからである。
【００２０】
図３に示すように、本実施形態のタッチパネル１０ｐは、乗場壁面に設けられた操作パネル２０内に設置されている。なお、図３において、２１はホールドア、２２は乗場インジケータを示している。また、判断部１１、登録部１２および振動装置１３は、例えば、操作パネル２１の裏面側に設けられている。振動装置１３は周知の振動機構で構成されている。
【００２１】
入力部制御装置２００は、入力部１００を構成するデバイス１０−１３を制御する。例えば、入力部制御装置２００は、デバイス１０−１３が所定のタイミングで動作するように、デバイス１０−１３を制御する。また、登録部１２の出力、つまり、登録部１２に登録された乗場呼びの方向は、入力部制御装置２００を介して、エレベータ制御装置３に送られる。
【００２２】
図４は、本実施形態のエレベータ装置の動作を説明するためのフローチャートである。
【００２３】
入力部制御装置１００は、パネル部１０の出力に基づいて、タッチパネルが押されたか否かを判断する（ステップＳ１）。例えば、パネル部１０の出力がゼロであれば、タッチパネルは押されていないと判断され、パネル部１０の出力がゼロでなければ、タッチパネルは押されたと判断される。
【００２４】
タッチパネルが押されていないと判断された場合（Ｎｏ）、タッチパネルによる入力はないことになる。この場合（Ｎｏ）、入力部制御装置１００は、パネル部１０の出力を監視し、タッチパネルが押されたか否かの判断を続けることになる。
【００２５】
一方、タッチパネルが押された判断された場合（Ｙｅｓ）、入力部制御装置１００は、判断部１１に対して、タッチパネルが閾値以上の力で押されたか否かを判断させる（ステップＳ２）。判断部１１は、パネル部１０の出力に基づいて、タッチパネルが閾値以上の力で押されたか否かを判断する。
【００２６】
タッチパネルが閾値以上の力で押された判断された場合（Ｙｅｓ）、登録部１２に下方向の乗場呼びが登録され（ステップＳ３）、その後、タッチパネルは振動装置１３によって２回振動させられる（ステップＳ４）。
【００２７】
一方、タッチパネルが閾値未満の力で押された場合（Ｎｏ）、登録部１２に上方向の乗場呼びが登録される（ステップＳ５）、その後、タッチパネルは振動装置１３によって１回振動させられる（ステップＳ６）。
【００２８】
入力部制御装置２００は、登録部１２に登録された乗場呼びの方向（登録方向）をエレベータ制御装置３に送り、エレベータ制御装置３は登録方向へ乗りかごを走行させる（ステップＳ７）。
【００２９】
かくして本実施形態によれば、乗りかご１の呼びを登録するためのボタンはタッチパネルの一つだけであるとともに、タッチパネルを押す力の強弱で上方向の乗場呼びおよび下方向の乗場呼びの一方を選択的に登録できるので、視覚障害者にとって操作性がよいタッチパネル方式のボタンを備えたエレベータ装置を実現できるようになる。
【００３０】
さらに本実施形態によれば、下方向の乗場呼びが登録された時にはタッチパネルが２回振動し、上方向の乗場呼びが登録された時にはタッチパネルが１回振動するので、視覚障害者は、意図通りに乗場呼びが登録されたか否かを振動で判断できるようになる。
【００３１】
なお、タッチパネルからの入力により、意図通りの呼びが登録されたか否かの判断のために、タッチパネルにて入力された乗場呼びを音声でアナウンスするためのアナウンス装置を追加しても構わない。
【００３２】
（第２の実施形態）
図５は、第２の実施形態に係るエレベータ装置を示す概略構成図である。なお、以下の図において、既出の図と対応する部分には既出の図と同一符号を付してあり、詳細な説明は省略する。
【００３３】
本実施形態のエレベータ装置は、複数の階床にエレベータ乗場を有する昇降路内を昇降する乗りかご１と、乗りかご１内に設置され、エレベータドアの開閉を指令するタッチパネル方式の開閉指示装置４と、開閉指示装置４からの指令に基づいて、エレベータドアの開閉を制御するドア制御手段としての機能を含む、エレベータ制御装置３とを具備している。エレベータ制御装置３は、エレベータドアのみならず、その他のエレベータの制御も司る。
【００３４】
図６は、開閉指示装置４の構成を示す概略構成図である。
【００３５】
開閉指示装置４は、入力部１００と、入力部１００を制御する入力部制御装置２００とを具備している。
【００３６】
入力部１００は、エレベータドアを開くためのドア開指令、または、エレベータドアを閉じるためのドア閉指令を入力するためのタッチパネルを備えたパネル部１０と、パネル部１０の出力に基づいて、タッチパネルに加えられた力の大きさが予め定めた閾値よりも小さいか否かを判断する判断部１１と、判断部１１の判断に基づいて、タッチパネルに加えられた力の大きさが閾値よりも小さい場合には、エレベータドアを閉じるためのドア閉指令を生成し、一方、タッチパネルに加えられた力の大きさが閾値以上の場合には、エレベータドアを開くためのドア開指令を生成する生成部１４と、生成部１４にてドア閉指令が生成された時にはタッチパネルを２回振動させ、一方、生成部１４にてドア開指令が生成された時にはタッチパネルを１回振動させる振動装置１３とを備えている。振動回数は、２回と１回との組合せに限定されるものではない。
【００３７】
図７に示すように、本実施形態のタッチパネル１０ｐは、エレベータかご内の操作パネル２０内に設置されている。
【００３８】
入力部制御装置２００は、入力部１００を構成するデバイス１０，１１，１３，１４を制御する。例えば、入力部制御装置２００は、デバイス１０，１１，１３，１４が所定のタイミングで動作するように、デバイス１０，１１，１３，１４を制御する。また、生成部１４の出力、つまり、生成部１４で生成されたドア指令は、入力部制御装置２００を介して、エレベータ制御装置３に送られる。
【００３９】
図８は、本実施形態のエレベータ装置の動作を説明するためのフローチャートである。
【００４０】
入力部制御装置１００は、パネル部１０の出力に基づいて、タッチパネルが押されたか否かを判断する（ステップＳ１１）。
【００４１】
タッチパネルが押されていないと判断された場合（Ｎｏ）、入力部制御装置１００は、タッチパネルが押されている否かの判断を続けることになる。
【００４２】
一方、タッチパネルが押された判断された場合（Ｙｅｓ）、入力部制御装置１００は、判断部１１に対して、タッチパネルが閾値以上の力で押されたか否かを判断させる（ステップＳ１２）。判断部１１は、パネル部１０の出力に基づいて、タッチパネルが閾値以上の力で押されたか否かを判断する。
【００４３】
タッチパネルが閾値以上の力で押された場合（Ｙｅｓ）、生成部１４にてドア閉じの指令が生成され（ステップＳ１３）、その後、タッチパネルは振動装置１３によって２回振動させられる（ステップＳ１４）。
【００４４】
一方、タッチパネルが閾値未満の力で押された判断された場合（Ｎｏ）、生成部１４にてドア開きの指令が生成され（ステップＳ１５）、その後、タッチパネルは振動装置１３によって１回振動させられる（ステップＳ１６）。
【００４５】
入力部制御装置２００は、生成部１４にて生成された指令（生成指令）をエレベータ制御装置３に送り、エレベータ制御装置３は生成指令に基づいてエレベータドアの開閉制御を行う（ステップＳ１７）。
【００４６】
かくして本実施形態によれば、エレベータドアの開閉を指令するめのボタンはタッチパネルの一つだけであるとともに、タッチパネルを押す力の強弱でドア閉じおよびドア開きの一方を選択的に登録できるので、視覚障害者にとって操作性がよいタッチパネル方式のボタンを備えたエレベータ装置を実現できるようになる。
【００４７】
さらに本実施形態によれば、ドア閉じの指令であると判断された時にはタッチパネルが２回振動し、ドア開きの指令であると判断された時にはタッチパネルが１回振動するので、視覚障害者は、意図通りに呼びが登録されたか否かを振動で判断できるようになる。
【００４８】
なお、タッチパネルからの入力により、意図通りの指令が生成されたか否かの判断のために、タッチパネルにて入力された指令（ドア閉じ指令、ドア開き指令）を音声でアナウンスするためのアナウンス装置を追加しても構わない。
【００４９】
（第３の実施形態）
図９は、第３の実施形態に係るエレベータ装置を示す概略構成図である。
【００５０】
本実施形態のエレベータ装置は、複数の階床にエレベータ乗場を有する昇降路内を昇降する乗りかご１と、エレベータかご内に設置され、乗りかご１の行き先階を登録するタッチパネル方式の行き先階登録装置５と、行き先階登録装置５に登録された行き先階に基づいて、乗りかご１の運転を制御するかご制御手段としての機能を含む、エレベータ制御装置３とを具備している。エレベータ制御装置３は、エレベータかごのみならず、その他のエレベータの制御も司る。
【００５１】
図１０は、行き先階登録装置５の構成を示す概略構成図である。
【００５２】
行き先階登録装置５は、かご呼び登録装置とも呼ばれており、入力部１００と、入力部１００を制御する入力部制御装置２００とを具備している。
【００５３】
入力部１００は、乗りかご１の行き先階を登録するための入力を行うためのタッチパネルを備えたパネル１０と、パネル部１０の出力に基づいて、タッチパネルに加えられた力の大きさに対応する行き先階を判断する判断部１１と、判断部１１の判断に基づいて、エレベータかごの行き先階を登録する行き先階登録部１５と、行き先階登録部１５に登録された行き先階の階床数と同じ回数だけタッチパネルを振動させる振動装置１３とを備えている。
【００５４】
タッチパネルに加えられた力の大きさと、行き先階登録部１５に登録される行き先階とは正の相関に設定されている。
【００５５】
例えば、タッチパネルを指で押したときの圧力（指圧）を考えた場合、図１１に示すように、指圧がＰ０以上Ｐ１未満の場合は１階だと判断し、指圧がＰ１以上Ｐ２未満の場合は２階だと判断し、指圧がＰ２以上Ｐ３未満の場合は３階だと判断し、指圧がＰ３以上Ｐ４未満の場合は４階だと判断する。なお、指圧と階床との関係は予め決めておき、そのデータは、例えば、判断部１１内に格納される。
【００５６】
図１２に示すように、本実施形態のタッチパネル１０ｐは、エレベータかご内の操作パネル２０内に設置されている。
【００５７】
入力部制御装置２００は、入力部１００を構成するデバイス１０，１１，１３，１５を制御する。例えば、入力部制御装置２００は、デバイス１０，１１，１３，１５が所定のタイミングで動作するように、デバイス１０，１１，１３，１５を制御する。また、行き先階登録部１５の出力、つまり、行き先階登録部１５に登録された行き先階は、入力部制御装置２００を介して、エレベータ制御装置３に送られる。
【００５８】
図１３は、本実施形態のエレベータ装置の動作を説明するためのフローチャートである。
【００５９】
入力部制御装置１００は、パネル部１０の出力に基づいて、タッチパネルが押されたか否かを判断する。（ステップＳ２１）。
【００６０】
タッチパネルが押されていないと判断された場合（Ｎｏ）、入力部制御装置１００は、パネル部１０の出力を監視し、タッチパネルが押されたか否かの判断を続ける。
【００６１】
一方、タッチパネルが押された判断された場合（Ｙｅｓ）、入力部制御装置１００は、判断部１１に対して、タッチパネルに加えられた力の大きさに対応する行き先階を判断（決定）させる（ステップＳ２２）。
【００６２】
行き先階が判断（決定）された後、タッチパネルは振動装置１３によって行き先階の階床数と同じ回数だけ振動させられる（ステップＳ２３）。
【００６３】
行き先階が１階であれば１回、行き先階が２階であれば２回、行き先階が３階であれば３回というように、タッチパネルは振動する。すなわち、行き先階と振動回数とは正の相関に設定されている。
【００６４】
例えば、指圧を考えた場合には、図１４に示すように、指圧がＰ０以上Ｐ１未満の場合は１階だと判断されるので振動回数は１、指圧がＰ１以上Ｐ２未満の場合は２階だと判断されるので振動回数は２、指圧がＰ２以上Ｐ３未満の場合は３階だと判断されるので振動回数は３、そして、指圧がＰ３以上Ｐ４未満の場合は４階だと判断されるので振動回数は４となる。
【００６５】
入力部制御装置２００は、判断部１１にて判断された行き先階をエレベータ制御装置３に送り、エレベータ制御装置３は上記行き先階へ乗りかご１を走行させる（ステップＳ２４）。
【００６６】
かくして本実施形態によれば、エレベータかごの行き先階を登録するめのボタンはタッチパネルの一つだけであるとともに、タッチパネルを押す力の加減（力加減）によって所望の行き先階を選択的に登録できるので、視覚障害者にとって操作性がよいタッチパネル方式のボタンを備えたエレベータ装置を実現できるようになる。
【００６７】
さらに本実施形態によれば、行き先階と同じ階床数だけタッチパネルは振動するので、視覚障害者は、意図通りに行き先階が登録されたか否かを振動で判断できるようになる。
【００６８】
なお、タッチパネルからの入力により、意図通りの行き先階が登録されたか否かの判断のために、タッチパネルにて入力された行き先階を音声でアナウンスするためのアナウンス装置を追加しても構わない。
【００６９】
以上述べた第１−第３の実施形態の全てもしくは二つを組み合わせても構わない。
【００７０】
また、タッチパネルによる入力の確認のため、入力に応じて振動の回数を変えたが、振動の強度を変えるようにしたり、振動の回数および強度を変えても構わない。
【００７１】
また、タッチパネルに対して一定時間以上続けて力が加えられた場合、タッチパネルに対して入力が行われた判断する機能を判断部１１にもたせても構わない。
【００７２】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００７３】
１…乗りかご（エレベータかご）、２…乗場呼び登録装置（乗場呼び登録手段）、３…エレベータ制御装置（かご制御手段、ドア制御手段）、４…開閉指示装置（開閉指令手段）、５…行き先階登録装置（行き先階登録手段）、１０…パネル部、１０ｐ…タッチパネル、１１…判断部、１２…登録部、１３…振動装置、１４…生成部、１５…行き先階登録部、２０…操作パネル、２１…ホールドア、２２…乗場インジケータ、１００…入力部、２００…入力部制御装置。
【図１】
2012056720.tif 000003
【図２】
2012056720.tif 000004
【図３】
2012056720.tif 000005
【図４】
2012056720.tif 000006
【図５】
2012056720.tif 000007
【図６】
2012056720.tif 000008
【図７】
2012056720.tif 000009
【図８】
2012056720.tif 000010
【図９】
2012056720.tif 000011
【図１０】
2012056720.tif 000012
【図１１】
2012056720.tif 000013
【図１２】
2012056720.tif 000014
【図１３】
2012056720.tif 000015
【図１４】
2012056720.tif 000016